(57)【要約】      （修正有）【課題】  曲線状の柔らかいタッチの意匠性に富んだ採光が可能で、室内にソフト感を与え、さらに短冊状物の表と裏の色彩を変えるなどすることにより、インテリア効果を付与することができるブラインドを得ること。【解決手段】  屈曲可能な素材からなる短冊状物１を縦方向に複数個並設し、短冊状物の上部または下部に短冊状物にねじれを付与する手段７を有するスパイラルブラインド。【選択図】  図２
2005061108.tif 000002
【特許請求の範囲】
【請求項１】
屈曲可能な素材からなる短冊状物を縦方向に複数個並設し、短冊状物の上部または下部に短冊状物にねじれを付与する手段を有するスパイラルブラインド。
【請求項２】
短冊状物にねじれを付与する手段が、短冊状物と同じ個数の回転板を有し、回転板の上に着脱自在なバネ状物を回転板の中心を対称にして２個有し、回転板の回転により短冊状物にねじれを付与する装置である請求項１記載のスパイラルブラインド。
【発明の詳細な説明】
【技術分野】
【０００１】
本発明は、曲線状の柔らかいタッチの採光が可能なスパイラルブラインドに関する。
【背景技術】
【０００２】
従来、短冊状物を縦方向に複数個並設け、短冊状物を左または右に回転する手段を有するブラインドは知られている（特許文献１）。
【特許文献１】実開昭５７−８９７９７号公報（請求の範囲）
【発明の開示】
【発明が解決しようとする課題】
【０００３】
しかしながら、従来の短冊状物を左または右に回転するタイプのブラインドは、短冊状物のスリット間から明暗のはっきりした単純な採光は可能であるが、曲線状の柔らかいタッチの意匠性に富んだ採光はできなかった。
【課題を解決するための手段】
【０００４】
上記課題は、屈曲可能な素材からなる短冊状物を縦方向に複数個並設し、短冊状物の上部または下部に短冊状物にねじれを付与する手段を有するスパイラルブラインドを提供することによって、解決される。
また上記課題は、短冊状物にねじれを付与する手段が、短冊状物の個数と同じ個数の回転板を有し、回転板の上に着脱自在なバネ状物を回転板の中心を対称にして２個有し、回転板の回転により短冊状物にねじれを付与する装置であることによって、より好適に解決される。
【発明の効果】
【０００５】
本発明によれば、曲線状の柔らかいタッチの意匠性に富んだ採光が可能であるため、室内にソフト感を与え、さらに短冊状物の表と裏の色彩を変えるなどすることにより、インテリア効果を付与することもできる。
さらにまた、短冊状物にねじれを付与する手段として、短冊状物と同じ個数の回転板を有し、回転板の上に着脱自在なバネ状物を回転板の中心を対称にして２個有し、回転板の回転により短冊状物にねじれを付与する装置を採用することにより、短冊状物の取り外しが容易となり、洗濯も容易となる。
【発明を実施するための最良の形態】
【０００６】
本発明において使用する屈曲可能な素材としては、ねじれを付与したときに屈曲する素材、たとえば各種繊維生地（織布、編物、不織布）、または樹脂シートまたはフイルムがあげられる。ここで繊維素材としては、天然繊維、合成繊維が使用でき、また樹脂シートまたはフイルム素材としては、各種熱可塑性樹脂、各種熱可塑性エラストマー、各種ゴムなどが使用できるが、ポリエステル系樹脂、ポリエステル系熱可塑性エラストマー、ポリオレフイン系熱可塑性エラストマー、スチレン−ジエン共重合体系熱可塑性エラストマーなどが好適に使用される。これらの素材からなる短冊状物のサイズは、使用目的により適宜決定されるが、通常、幅５〜１００ｍｍ、好適には１０〜５０ｍｍ、厚み０．０１〜５ｍｍ、好適には０．１〜３、長さ３０〜５００ｃｍ、好適には５０〜３００ｃｍの範囲から選ばれる。
【０００７】
また、縦方向に複数個並設する短冊状物の数は、設置するブラインドの大きさなどにより適宜決定されるが、通常、５〜１００個、好適には１０〜１００個から選ばれる。
また、１本の短冊状物に付与されるねじれの数は、採光量によって適宜決定されるが、通常、２〜５０個、好適には３〜３０個の範囲から選ばれる。
【０００８】
また、本発明においては、短冊状物の表および裏の色彩を変えることにより、インテリア効果を付与することもできる。たとえば、表に明色系、裏に暗色系を設けることにより、アクセントのきいた審美感を付与することができる。
【０００９】
次に図面により、本発明により説明する。
図１は、短冊状物にねじれを付与していない状態のブラインドの平面図である。短冊状物１は縦方向に複数個並設しており、短冊状物１の下部には、短冊状物と同じ個数の回転板６を有し、回転板の上に着脱自在なバネ状物８，９を回転板の中心を対称にして２個有し、回転板６を回転することで短冊状物１にねじれを付与する装置７が設けられている。バネ状物８，９は、短冊状物の下部に着脱自在に繋ながっており、またバネ状物は伸縮自在な、たとえばスチール製が好適である。短冊状物１の上部には、短冊状物１を固定する固定装置１６が設けられ、固定装置１６の孔１９，２０および短冊状物１の上部の孔２１，２２に着脱自在なフックなどの引掛具１７，１８を介して短冊状物１が懸架されている。
【００１０】
図２は、短冊状物１にねじれを付与した状態のスパイラルブラインド３の平面図である。回転板６を回転することにより、短冊状物１にねじれを付与し、ねじれの交差点２を境にして、上部に短冊状物１の表部分４が、その下部に短冊状物１の裏部分５が表れ、短冊状物１の表裏の色、柄などを違わせておくことにより、室内に独特の審美感を付与することができる。また、ねじることで生じた短冊状物の採光空間２３によりソフトな意匠性に富んだ採光を可能にする。回転板６は円板であることが好適である。
【００１１】
図３は、短冊状物１の下部に設けられた、短冊状物１にねじれを付与する装置７の詳細を示す平面図である。回転板６は、ねじれを付与する装置７の側面に設けられた開口部２５のノブ１１を左右にスライドすることにより、右または左周りに回転し、短冊状物１にねじれを付与することができる。
【００１２】
図４は、図３の短冊状物１にねじれを付与する装置７の外枠を取り外した状態を示す図である。回転板６の外周には突起状物１３を有しており、この突起状物１３に嵌合する孔１２を有する環状の回転ベルト１０を、回転ベルト１０に取付けられたノブ１１を左右にスライドすることにより、移動させ、短冊状物１に自由にねじれを付与することができる。所望のねじれを付与した時点で、回転ベルト１０の孔１２と凹凸を有するストッパー２４の凹凸部の間に、ノブ１１の上部または下部に設けられた上下に移動なボールを嵌め込むことにより、回転ベルト１０を、停止させることができる。
【００１３】
回転板６を回転させる手段としては、図３〜４に示されるものに限定されるものではなく、回転板６を回転させることができる方法であればどのような手段でも採用できる。また、回転板６の上に設けられるバネ状物８，９は、短冊状物１にねじれを付与したときに、短冊状物に均一な間隔でねじれを付与し、またねじれによる短冊状物の収縮の緩和をはかるために設けられる。また、バネ状物８、９を短冊状物１の下部の孔１４，１５と回転板６の間に着脱自在に設けることにより、短冊状物１の取り外しを容易にし、さらに、短冊状物１の洗濯を容易にすることができることから好適である。
【産業上の利用可能性】
【００１４】
曲線状の柔らかいタッチの意匠性に富んだ採光が可能であるため、室内にソフト感を与え、さらに短冊状物の表と裏の色彩を変えるなどすることにより、インテリア効果を付与することができ、さらにまた短冊状物の取り外しが容易で、洗濯も容易であることから、各種分野のブラインドとして、とくに採光量を余り多く要求されない分野、たとえば喫茶店などのブラインドとして有用である。
【図面の簡単な説明】
【００１５】
【図１】短冊状物にねじれを付与していない状態のブラインドの平面図である。
【図２】短冊状物にねじれを付与した状態のスパイラルブラインドの平面図である。
【図３】ねじれを付与する装置の詳細を示す平面図である。
【図４】図３の短冊状物にねじれを付与する装置の外枠を取り外した状態の平面図である。
【符号の説明】
【００１６】
１      短冊状物
２      ねじれ部の交差点
３      スパイラルブラインド
４      短冊状物の表部分
５      短冊状物の裏部分
６      回転板
７      ねじれを付与する装置
８，９バネ状物
１０    回転ベルト
１１    ノブ
１２    ベルトの孔
１３    回転板の外周面の突起状物
１４、１５  回転体と嵌合する短冊状物の下部に設けられた孔
１６    短冊状物の固定装置
１７、１８  フックなどの引掛具
１９、２０  固定装置の孔
２１、２２  短冊状物の孔
２３    短冊状物のねじれにより生じた採光空間
２４    回転ベルトのストッパー
２５    開口部
【図１】
2005061108.tif 000003
【図２】
2005061108.tif 000004
【図３】
2005061108.tif 000005
【図４】
2005061108.tif 000006